(57)【特許請求の範囲】
【請求項１】
毛管フィーダ（７；７’；７”）を介して自由液体の貯蔵タンク（５）に接続された筆記先端（８；８’；８”）を前端に設けたハウジング（１，２）と、
該毛管フィーダ（７；７’；７”）よりも小さい毛管作用を有する一定密度の連続気孔性材料製緩衝チャンバ（９；９’；９”）であって、その内周面が該毛管フィーダ（７；７’；７”）の外周面と少なくとも部分的に接触するよう該毛管フィーダ（７；７’；７”）を囲み、その外周面及び両端面の全体のみが換気口（３）を介してハウジング（１、２）の内部スペースに流入する大気と接触可能に構成された緩衝チャンバ（９；９’；９”）とを有する、担体上に液体を塗布する手持ち塗布装置であって、
前記ハウジング（１，２）は該ハウジング（１，２）の前端部から後方に延在し前記緩衝チャンバ（９；９’；９”）の前端面と当接する部分を有することもあり、
緩衝チャンバ（９；９’；９”）の後端と貯蔵タンク（５）との間には、隔壁（１０；１０’；１０”）が設けてあり、毛管フィーダ（７；７’；７”）が、上記隔壁を貫通して延び、液密な壁を有しパイプ内部が貯蔵タンク（５）と連通するパイプ（１１；１１’；１１”）が、上記隔壁から前方へ延びる形式のものにおいて、
該パイプ（１１；１１’；１１”）が、該毛管フィーダ（７；７’；７”）の毛管作用よりも小さいが緩衝チャンバ（９；９’；９”）の毛管作用よりも大きい毛管作用を有する毛管チャネル（１２；１２’；１２”）として形成されること、
パイプ（１１；１１’；１１”）の前部開口が、緩衝チャンバ（９；９’；９”）の前部１／３以内に緩衝チャンバ前端から離れて位置することを特徴とする手持ち塗布装置。
【請求項２】
該パイプ（１１）が、該毛管フィーダ（７）に平行に且つ上記該毛管フィーダから側方へ離れて延びることを特徴とする請求項１の手持ち塗布装置。
【請求項３】
該パイプ（１１’；１１”）が、該毛管フィーダ（７’；７”）を囲んで上記毛管フィーダと同軸に延びることを特徴とする請求項１の手持ち塗布装置。
【請求項４】
該パイプ（１１’）が、径の小さい該毛管フィーダ（７’）の範囲を囲み、該パイプ前端の少なくとも１つの円弧状突起で該毛管フィーダ（７’）のショルダ状移行部に支持され、緩衝チャンバ（９’）が、前記少なくとも１つの円弧状突起の対向する側端面間に形成された少なくとも１つの円弧状間隙（１４）および該円弧状間隙（１４）から後方へ延在する軸線方向毛管間隙（１３）を介して、該パイプ（１１’）の内壁と該毛管フィーダ（７’）の外面との間に形成された毛管チャネル（１２’）に接続されていることを特徴とする請求項３の手持ち塗布装置。
【請求項５】
該パイプ（１１”）が、該毛管フィーダ外面と当接した状態で該毛管フィーダ（７”）を囲み、前記毛管チャネル（１２”）が、該毛管フィーダ内に同軸に延びるチャネルから形成されていることを特徴とする請求項３の手持ち塗布装置。
【請求項６】
該パイプ（１１；１１’）の前端が、緩衝チャンバ（９；９’）の前端から２ｍｍ〜４ｍｍの距離に位置することを特徴とする請求項１−５の１つに記載の手持ち塗布装置。
【発明の詳細な説明】
【０００１】
【発明の属する技術分野】
本発明は、手持ち塗布（特にマーキング）装置、特に、筆記具またはマーカーに関する。より詳しくは本発明は、毛管フィーダを介して自由液体の貯蔵タンクに接続された筆記先端を前端に設けたハウジングと、毛管フィーダよりも小さい毛管作用を有し毛管フィーダを囲み前端で大気と連通する連続気孔性材料製緩衝チャンバとを有し、担体上に液体を塗布する手持ち塗布装置であって、緩衝チャンバの後端と貯蔵タンクとの間には、隔壁が設けてあり、毛管フィーダが、上記隔壁を貫通して延び、液密な壁を有しパイプ内部が貯蔵タンクと連通するパイプが、上記隔壁から前方へ延びる形式のものに関する。
【０００２】
【従来の技術及び問題点】
Ｓｃｈｗａｎ−Ｓｔａｂｉｌｏ  Ｓｃｈｗａｎｈａｅ  ｕｓｓｅｒ社からＬｕｍｉｎａｔｏｒなる名称で市販されているこの種の公知の塗布装置の場合、隔壁から前方へ延びるパイプは、ハウジング前部から形成された他のパイプ片に毛管フィーダ前端を保持した毛管フィーダの保持に役立つ。パイプ前端の前には、緩衝チャンバが設けてあり、緩衝チャンバの前端は、前部パイプ片の後端から僅かに離れた箇所で終わる。
【０００３】
パイプを緩衝チャンバの後部範囲まで延ばし、かくして、緩衝チャンバのホルダとして役立つようパイプを配置することも、既に知られている（ドイツ特許ＤＥ１５１１３９５，ヨーロッパ特許ＥＰ０５１６５３８）。
【０００４】
この公知の解決法の場合、パイプは、塗布装置の構成部材、即ち、インキフィーダの保持、更に場合によっては、緩衝チャンバの保持に役立つに過ぎない。
【０００５】
他の公知の手持ち塗布装置（ドイツ特許ＤＥ１９５２９８６５）の場合、液体案内チャネルを形成する２つのパイプ半部が、毛管フィーダの対向側に延び、隔壁から前方へ毛管フィーダの貫通口またはハウジング前部の筆記先端まで達する。毛管フィーダは、パイプ半部外の範囲において、小さい毛管作用を有する緩衝チャンバと接触し、従って、貯蔵タンク内に過圧が現れた場合、上記過圧によって押出された液体は、毛管フィーダから緩衝チャンバにオーバフローすることになる。上記液体は、塗布操作にもとづく消費時、毛管フィーダ内に再吸引され、即ち、塗布液体として使用される。液体が消費され、かくして、貯蔵タンク内に負圧が生ずると、空気が、ハウジング前端から緩衝チャンバおよび毛管フィーダを介して貯蔵タンクに達する。この“吸引プロセス”の場合、緩衝チャンバ内にある液体の一部も、毛管フィーダを介して貯蔵タンクに逆吸引されることになる。
【０００６】
【発明が解決しようとする課題】
これらの公知のすべての塗布装置の場合、圧力補償系、即ち、緩衝チャンバに達した液体は、通常の使用時、重力にもとづき、緩衝チャンバの前端に堆積し、緩衝チャンバの液面は、供給液量の増加とともに上昇する。緩衝チャンバの前端における液体のこの堆積は、例えば５ｍｌよりも多い液体を含む比較的大きい貯蔵タンクを有する塗布装置の場合に特に、問題を生ずる。一度生ずると実際上もはや消失しない液体堆積が緩衝チャンバ前端に起きると、この際に生ずる静圧によって、筆記先端を介する液体の外部への滴下が誘起される。更に、緩衝チャンバに堆積した液体の一部は、もはや、塗布操作または筆記操作に使用されないので、塗布装置の容量が低下することになる。
【０００７】
本発明の課題は、緩衝チャンバの前部範囲における筆記液体の堆積（貯留）にもとづく滴下の危険性を、完全には排除できないとしても、明らかに減少し、且つまた、容量を増大することにある。
【０００８】
【課題を解決するための手段】
この課題の解決のため、本発明にもとづき、パイプが、毛管フィーダの毛管作用よりも小さいが緩衝チャンバの毛管作用よりも大きい毛管作用を有する毛管チャネルを形成し、パイプの前部開口が、緩衝チャンバの前部１／３以内の範囲にチャンバ前端から離れて位置するよう、冒頭に述べた種類の手持ち塗布装置を構成する。パイプの前部開口が、緩衝チャンバの前端から２ｍｍ〜４ｍｍの距離にあれば好ましい。なお、各請求項に付記した図面参照符号は専ら理解を助けるためのものであり、図示の態様に本発明を制限することを意図しない。
【０００９】
【発明の実施の態様】
即ち、本発明に係る筆記具の場合、貯蔵タンクと連通するパイプは、緩衝チャンバ内にチャンバ前端の直前まで延び、即ち、貯蔵タンク内に生ずる過圧にもとづき上述の液体堆積を生ずる範囲に延びる。従って、パイプからなり、場合によっては、更に、連続気孔性材料を含む毛管チャネル（ないしダクト）は、上記範囲と貯蔵タンクとを接続する。即ち、緩衝チャンバの前端近傍のパイプの前部開口の位置にもとづき、貯蔵タンク内に負圧が生じた場合、大気が、上記パイプを介して貯蔵タンク内に導かれるのみならず、液体が、緩衝チャンバの範囲からパイプの前部開口を介して貯蔵タンクに逆吸引され、再び塗布操作のために使用される。かくして、貯蔵タンク内に負圧が生じた場合、主圧力補償がパイプによって行われ、他方、公知の解決法の場合は、本質的に、緩衝チャンバの軸線方向全区間が、上記圧力補償のために使用される。しかしながら、ハウジング内部に流入して圧力補償を行う空気は、抵抗最小の経路を取り、即ち、公知の解決法の場合、緩衝チャンバの後部範囲において緩衝チャンバを通過し、毛管フィーダに流入し、次いで、貯蔵タンクに達する。しかも、液体は、上記経路に沿ってのみ、緩衝チャンバから貯蔵タンクに逆吸引され、従って、公知の塗布装置の場合、緩衝チャンバの前端にある液体の逆吸引は実現できない。しかしながら、この逆吸引は、本発明に係る構造によって達成される。この場合、パイプとして形成された毛管チャネルの毛管作用が毛管フィーダの毛管作用に比して小さいことによって、逆吸引は、パイプで囲まれた毛管チャネルのみを介して行われ、即ち、毛管フィーダは、１種の分路を形成することはない。
【００１０】
ここで付言するが、毛管フィーダ、パイプとして形成される毛管チャネル、緩衝チャンバおよび筆記先端について選択した毛管作用は、装置の当該の構造に依存し、通常、実験によって求める。
【００１１】
本発明の１つの実施態様の場合、パイプは、毛管フィーダに平行に且つ上記毛管フィーダから側方へ離れて延びる。他の実施態様の場合、パイプは、毛管フィーダを囲んで上記毛管フィーダと同軸に延びる。
【００１２】
毛管フィーダおよびパイプを同軸に配置した場合、パイプは、径の小さい毛管フィーダの範囲を囲むことができ、パイプ前端で毛管フィーダのショルダ移行部に支持され、かくして、塗布操作時、毛管フィーダが筆記圧によって後方へ摺動される（押し込まれる）ことはない。この場合、毛管チャネルは、パイプ内壁と前部の軸線方向毛管間隙および支持範囲に設けた少なくとも１つの半径方向間隙を介して緩衝チャンバに接続させることができる。
【００１３】
更にこのような他の構造の場合、パイプは、毛管フィーダ外面と当接した状態で毛管フィーダを囲み、毛管チャネルは、毛管フィーダ内に同軸に延びるチャネルから形成できる。この場合、貯蔵タンク内に生じた負圧によって逆吸引された液体および空気は、最短経路で、即ち、毛管フィーダ壁を半径方向へ通過して毛管フィーダ内の同軸の毛管チャネルに流入し、次いで、貯蔵タンクに達する。
【００１４】
実施例を示す略図を参照して、以下に、本発明の実施例を詳細に説明する。
【００１５】
【実施例】
図１に示した塗布装置は、例えば、溶接または接着によって前部部分２を前端に密封固定した通常のホルダシャフト状ハウジング１を有する。ハウジング１の後部部分は、塗布液体（例えば、インキ）の貯蔵タンクを形成し、前方に関して隔壁１０によって画成、区画される。上記隔壁は、後端で貯蔵タンク５内の液体と接触し且つ前端で筆記先端８を形成する通常の連続気孔性毛管フィーダ７を受容する中央開口を有する。毛管フィーダ７の前部部分は、ハウジングの内部スペースを大気と接続するための換気口３を有する前部部分２の中央開口を貫通して外部先端（筆記先端）まで延びる。毛管フィーダ７は、通常の態様で、毛管フィーダの毛管作用よりも小さい毛管作用を有する連続気孔性材料製緩衝チャンバ９によって囲まれている。この場合、少なくとも部分的範囲において、毛管フィーダ７と緩衝チャンバ９との間の直接接触が生ずる。ここで、付言するが、毛管フィーダ７は、毛管フィーダによって形成された筆記先端８も含めて、例えば、焼結材料から構成でき、他方、緩衝チャンバ９は、通常の如く、繊維材料またはスポンジ材料から製造できる。適切な繊維材料は、例えばフィルトローナ・フィルタ（Ｆｉｌｔｒｏｎａ  Ｆｉｌｔｅｒ）社において製造されている。
【００１６】
塗布装置の上述の構造は、慣用の構造である。特殊な点は、毛管フィーダ７の側方に且つ毛管フィーダに平行に延びパイプ前端が緩衝チャンバ９の前端から僅かに離れた箇所で終わるパイプ１１が、隔壁１０から前方へ延びるという点にある。緩衝チャンバ９の前端とパイプ１１の前端、即ち、前部開口との間の距離は、通常、実験によって求める。この距離は、できる限り小さくすべきであるが、以下に説明する機能の達成を保証するのに十分に大きくなければならない。実際から、２ｍｍ〜４ｍｍの距離が所望の効果を生ずるということが判った。
【００１７】
図示の如く、パイプ１１により形成された毛管チャネル１１は、緩衝チャンバ９の前端範囲を貯蔵タンク５と接続する。従って、貯蔵タンク５内に負圧が生ずると、パイプ１１の前部開口を囲み且つ上記開口の前にある緩衝チャンバ９の範囲から、上記範囲内にある液体が、次いで空気も、上記負圧にもとづき、更に詳細に云えば、毛管チャネル１２の毛管作用が毛管フィーダ７の毛管作用に比して小さく、従って、抵抗が小さいので、上記毛管チャネルを介して貯蔵タンク５内に吸引される。
【００１８】
図２〜４に示した塗布装置の構造は、図１の塗布装置の構造と基本的に一致し、従って、同一の部分は、同一記号で示し、対応する部分は、’を付した同一記号で示した。
【００１９】
図２〜４の塗布装置の場合、隔壁１０’と一体に構成されたパイプ１１’は、毛管フィーダ７’と同軸に配置されている。上記毛管フィーダは、パイプ１１’で囲まれた径の小さい後部部分を有し、従って、この小径部分の前端は、パイプ１１’の前端を支持する環状ショルダ（段部）を形成する。パイプ１１’は、上記前部範囲に、環状ショルダに当接する２つの円弧状突起を有し、一方、突起の間には、円弧状間隙１４が形成されている。軸線方向毛管間隙１３は、上記間隙１４から後方へ延び、パイプ１１’と毛管フィーダ７’との間に形成され毛管フィーダ７’の後端まで延び貯蔵タンク５と連通する環状毛管間隙１２’は、上記軸線方向毛管間隙の後端から始まる。この環状間隙１２’は、軸線方向間隙１３および半径方向間隙１４を介して緩衝チャンバ９’と連通する毛管チャネルを形成する。従って、貯蔵タンク５内に構成される負圧は、緩衝チャンバ９’の前部範囲からの液体の吸引および半径方向間隙１４，軸線方向間隙１３および毛管チャネル１２’を介する空気の吸入を誘起する。
【００２０】
図５に示した塗布装置の構造および機能は、図１および図２〜４の塗布装置に類似し、従って、図１の塗布装置の場合と同一の部分は、同一記号で示し、対応する部分は、”を付した同一記号で示した。
【００２１】
図５に示した如く、毛管フィーダ７”および筆記先端８”は、別個の要素として構成されており、筆記先端８”の毛管作用は、通常の如く、毛管フィーダ７”の毛管作用よりも大きい。毛管フィーダ７”には、毛管チャネル１２”を形成する連続の同軸チャネルが構成されている。隔壁１０”と一体に構成されたパイプ１１”は、毛管フィーダ７”を囲み、毛管フィーダ外面と接触し、即ち、パイプ１１”と毛管フィーダ７”の外面との間には、貯蔵タンク５と連通する毛管チャネルは構成されてない。むしろ、機能に重要な毛管チャネル１２”は、毛管フィーダ内に同軸（中心部）に延び、従って、貯蔵タンク５内に負圧が生じた場合、液体は、パイプ１１”の前端のまわりにおよび前端の前にある緩衝チャンバ９”の範囲から吸引されて毛管チャネル１２”に送られ、空気は、パイプ１１”の前端の前にある毛管フィーダ７”の壁部を介して吸引されて毛管チャネルに送られる。この場合、液体および空気は、抵抗最小の経路を取り、即ち、毛管フィーダ７”の壁部を通って半径方向（中央部）へ流出し、次いで、毛管チャネル１２”を介して軸線方向後方へ送られ、一方、毛管フィーダ７”を介しての軸線方向への輸送は、流動抵抗が比較的、本質的に大きいので、起きない。
【００２２】
【発明の効果】
本発明の基本構成（請求項１）により、緩衝チャンバの前部範囲における液体の貯留に基づく、液の滴下（漏出）のおそれを本質的に軽減し、かつ、液容量を増大できる。各従属請求項の構成により、更に各具体的構成上の各利点がえられる。
【図面の簡単な説明】
【図１】  手持ち塗布装置の略断面図である。
【図２】  他の手持ち塗布装置の図１に対応する図面である。
【図３】  図２の線ＩＩＩ−ＩＩＩに沿う断面図（ハウジングは除去してある）である。
【図４】  図２の線ＩＶ−ＩＶに沿う図３に対応する断面図である。
【図５】  他の手持ち塗布装置の図１，２に対応する図面である。
【符号の説明】
１，２  ハウジング
５  貯蔵タンク
７，７，；７”  毛管フィーダ
８，８’，８”  筆記先端
９，９’，９”  緩衝チャンバ
１０，１０’，１０”  隔壁
１１，１１’，１１”  パイプ
１２，１２’，１２”  毛管チャネル
１３  軸線方向毛管間隙
【図１】
0003778782.tif 000002
【図２】
0003778782.tif 000003
【図３】
0003778782.tif 000004
【図４】
0003778782.tif 000005
【図５】
0003778782.tif 000006